(57)【要約】【課題】  大量の画像の中から所望の画像を探し出すのを容易にした画像表示装置、画像表示プログラム及び撮影装置を提供する。【解決手段】  画像表示領域６６には、選択フォルダ内の画像が十字状に配列されて表示され、十字状に配列された画像の交点の位置には中央画像Ｐｃが他の画像と比べて大きく表示される。上記の十字状の画像の配列において、水平方向には画像が撮影日時順に表示され、垂直方向には中央画像Ｐｃと近似した画像情報（メタ情報）を有する画像が、中央画像Ｐｃを中心として撮影日時順に表示される。画像操作アイコン表示領域６８は、中央画像Ｐｃのコマ送り／コマ戻しを行うためのコマ操作キー７０（左キー７０Ｌ、右キー７０Ｒ、上キー７０Ｕ及び下キー７０Ｄ）、及び画像を９０度回転させるための回転キー７２（左回転キー７２Ｌ及び右回転キー７２Ｒ）を備えている。【選択図】      図２
2008193426.tif 000002
【特許請求の範囲】
【請求項１】
画像を記録する記録手段と、
前記画像を表示する表示手段と、
第１の画像情報及び第１の画像情報とは別の第２の画像情報に基づいて、前記記録手段に記録された画像を分類してリストアップした画像リストを作成する画像リスト作成手段と、
前記表示手段に表示された画像を第１の画像情報に基づいてコマ送り及びコマ戻しを行う第１のコマ送り／コマ戻し手段と、
前記表示手段に表示された画像を第２の画像情報に基づいてコマ送り及びコマ戻しを行う第２のコマ送り／コマ戻し手段と、
を備えることを特徴とする画像表示装置。
【請求項２】
前記表示手段は、前記第１及び第２の画像情報に基づいて前記画像を十字状に表示することを特徴とする請求項１記載の画像表示装置。
【請求項３】
前記第１のコマ送り／コマ戻し手段は、前記画像が撮影又は記録された日時の情報に基づいてコマ送り及びコマ戻しを行うことを特徴とする請求項１又は２記載の画像表示装置。
【請求項４】
前記第２のコマ送り／コマ戻し手段は、前記画像のファイル名、ファイル形式、画像のサイズ、静止画を撮影した時のレンズ焦点距離、画面内における被写体の位置情報、被写体のＧＰＳ情報、シーンタイプ、シーン撮影タイプ、ホワイトバランス、カメラがオートホワイトバランスで推定した光源の種類、フラッシュ発光の有無又はセンサ方式のうち少なくとも１つの情報に基づいてコマ送り及びコマ戻しを行うことを特徴とする請求項１から３のいずれか１項記載の画像表示装置。
【請求項５】
前記画像から被写体の人物の顔を検出する顔検出手段を更に備え、
前記第２のコマ送り／コマ戻し手段は、検出された顔の数が同じ画像の間で、画像のコマ送り及びコマ戻しを行うことを特徴とする請求項１から３のいずれか１項記載の画像表示装置。
【請求項６】
請求項１から５のいずれか１項記載の画像表示装置を備えることを特徴とする撮影装置。
【請求項７】
画像を記録する記録機能と、
表示手段に前記画像を表示する表示機能と、
第１の画像情報及び第１の画像情報とは別の第２の画像情報に基づいて、前記記録手段に記録された画像を分類してリストアップした画像リストを作成する画像リスト作成機能と、
前記表示手段に表示された画像を第１の画像情報に基づいてコマ送り及びコマ戻しを行う第１のコマ送り／コマ戻し機能と、
前記表示手段に表示された画像を第２の画像情報に基づいてコマ送り及びコマ戻しを行う第２のコマ送り／コマ戻し機能と、
をコンピュータに実現させることを特徴とする画像表示プログラム。
【請求項８】
前記表示機能は、前記第１及び第２の画像情報に基づいて前記画像を十字状に表示する機能をコンピュータに実現させることを特徴とする請求項７記載の画像表示プログラム。
【発明の詳細な説明】
【技術分野】
【０００１】
本発明は画像表示装置、画像表示プログラム及び撮影装置に係り、特に画像の閲覧、表示する技術に関する。
【背景技術】
【０００２】
従来の画像表示用のアプリケーションでは、撮影日時等の１つのキーに基づいて画像ファイルを配列して、順送り又は逆送りしながら、閲覧することが一般的であった。また、特許文献１では、異なる撮影条件で撮られた２つ以上の画像列を並列表示する画像列並列表示方法が提案されている。
【特許文献１】特開平１１−３０８５２７号公報
【発明の開示】
【発明が解決しようとする課題】
【０００３】
近年、電子カメラの記録メディアの大容量化に伴って、１枚の記録メディアに、一例で数千枚に及ぶ大量の画像が記録可能になっている。このように大量の画像を、１枚ずつ順送り／逆送り操作したり、スライドショーを実行して閲覧するのは、操作が面倒であったり、画像の閲覧にかなりの時間を要する。このため、大量の画像が利用されず死蔵されてしまうという問題があった。
【０００４】
本発明はこのような事情に鑑みてなされたもので、大量の画像の中から所望の画像を探し出すのを容易にした画像表示装置、画像表示プログラム及び撮影装置を提供することを目的とする。
【課題を解決するための手段】
【０００５】
上記課題を解決するために、本発明の請求項１に係る画像表示装置は、画像を記録する記録手段と、前記画像を表示する表示手段と、第１の画像情報及び第１の画像情報とは別の第２の画像情報に基づいて、前記記録手段に記録された画像を分類してリストアップした画像リストを作成する画像リスト作成手段と、前記表示手段に表示された画像を第１の画像情報に基づいてコマ送り及びコマ戻しを行う第１のコマ送り／コマ戻し手段と、前記表示手段に表示された画像を第２の画像情報に基づいてコマ送り及びコマ戻しを行う第２のコマ送り／コマ戻し手段とを備えることを特徴とする。
【０００６】
請求項１に係る発明によれば、２種類の画像情報によりコマ送り／コマ戻しすることができるので、大量の画像の中から所望の画像を容易に探し出すことができる。また、第１、第２の画像情報を画像リストにより管理するようにしたので、画像の閲覧の都度、各画像のヘッダ情報を読み込む必要がないので、閲覧処理を高速化することができる。
【０００７】
請求項２に係る発明は、請求項１の画像表示装置において、前記表示手段は、前記第１及び第２の画像情報に基づいて前記画像を十字状に表示することを特徴とする。
【０００８】
請求項２に係る発明によれば、閲覧中の画像の上下左右にコマ送り／コマ戻し先の画像又は画像の一部が表示されるので、画像の閲覧を容易に行うことができる。
【０００９】
なお、請求項３に示すように、上記の画像表示装置において、前記第１のコマ送り／コマ戻し手段は、前記画像が撮影又は記録された日時の情報に基づいてコマ送り及びコマ戻しを行うようにすることができる。また、請求項４に示すように、前記第２のコマ送り／コマ戻し手段は、前記画像のファイル名、ファイル形式、画像のサイズ、静止画を撮影した時のレンズ焦点距離、画面内における被写体の位置情報、被写体のＧＰＳ情報、シーンタイプ、シーン撮影タイプ、ホワイトバランス、カメラがオートホワイトバランスで推定した光源の種類、フラッシュ発光の有無又はセンサ方式のうち少なくとも１つの情報に基づいてコマ送り及びコマ戻しを行うようにすることができる。更に、請求項５に示すように、上記画像表示装置において、前記画像から被写体の人物の顔を検出する顔検出手段を更に備え、前記第２のコマ送り／コマ戻し手段は、検出された顔の数が同じ画像の間で、画像のコマ送り及びコマ戻しを行うようにすることができる。
【００１０】
また、請求項６に係る撮影装置は、請求項１から５の画像表示装置を備えることを特徴とする。
【００１１】
請求項７に係る画像表示プログラムは、画像を記録する記録機能と、表示手段に前記画像を表示する表示機能と、第１の画像情報及び第１の画像情報とは別の第２の画像情報に基づいて、前記記録手段に記録された画像を分類してリストアップした画像リストを作成する画像リスト作成機能と、前記表示手段に表示された画像を第１の画像情報に基づいてコマ送り及びコマ戻しを行う第１のコマ送り／コマ戻し機能と、前記表示手段に表示された画像を第２の画像情報に基づいてコマ送り及びコマ戻しを行う第２のコマ送り／コマ戻し機能とをコンピュータに実現させることを特徴とする。
【００１２】
請求項８に係る発明は、請求項７の画像表示プログラムにおいて、前記表示機能は、前記第１及び第２の画像情報に基づいて前記画像を十字状に表示する機能をコンピュータに実現させることを特徴とする。
【発明の効果】
【００１３】
本発明によれば、２種類の画像情報によりコマ送り／コマ戻しすることができるので、大量の画像の中から所望の画像を容易に探し出すことができる。また、第１、第２の画像情報を画像リストにより管理するようにしたので、画像の閲覧の都度、各画像のヘッダ情報を読み込む必要がないので、閲覧処理を高速化することができる。
【発明を実施するための最良の形態】
【００１４】
以下、添付図面に従って本発明に係る画像表示装置、画像表示プログラム及び撮影装置の好ましい実施の形態について説明する。
【００１５】
［画像表示装置（ＰＣ）の構成］
図１は、本発明の一実施形態に係る画像表示装置を示すブロック図である。画像表示装置１０は、例えば、パーソナルコンピュータ（ＰＣ）により構成されており、画像の記憶、編集、プリント注文等を行うための装置である。
【００１６】
図１に示すように、プロセッサ（ＣＰＵ）１２は、バス１４を介して画像表示装置１０内の各ブロックに接続されており、各ブロックの動作を制御する。ＲＯＭ１６は、制御プログラムが格納される記憶領域を含んでおり、ＲＡＭ１８は、プログラム実行時の作業領域を含んでいる。
【００１７】
ハードディスク装置（ＨＤＤ）２０には、画像表示装置１０のオペレーティングシステム（ＯＳ）や、本発明に係る画像表示プログラム、各種のアプリケーションソフト、画像ファイル等が格納される。
【００１８】
グラフィック制御回路２２は、ＣＰＵ１２から入力される画像信号等を表示用の信号形式に変換して表示装置２４に出力する。表示装置２４は、例えば、ＣＲＴ（Cathode Ray Tube）モニタや液晶モニタであり、グラフィック制御回路２２から出力される信号に基づいて画像や文字等を表示する。
【００１９】
マウス２６及びキーボード２８は、ユーザからの操作入力を受け付ける操作部材であり、操作入力に応じた信号をＣＰＵ１２に入力する。なお、ポインティングデバイスとしては、マウス２６のほか、タッチパネルやタッチパッド等を用いることができる。
【００２０】
フレキシブルディスクドライブ（ＦＤＤ）３０は、フレキシブルディスク３２との間でデータの読み込みや書き込みを行う。メディアインターフェース部（メディアＩ／Ｆ）３４は、記録メディア３６との間でデータの送受信を行う。なお、記録メディア３６の形式は、例えば、ｘＤピクチャカード（登録商標）やスマートメディア（登録商標）に代表される半導体メモリカード、可搬型小型ハードディスク、磁気ディスク、光ディスク、光磁気ディスク等、種々の媒体を用いることができる。ＵＳＢインターフェース部（ＵＳＢ＿Ｉ／Ｆ）３８は、撮影装置（電子カメラ）４０やプリンタ４２との間でデータの送受信を行う。フレキシブルディスク３２や記録メディア３６、撮影装置４０等から読み込まれた画像等のデータは、ＨＤＤ２０に保存可能である。なお、撮影装置４０やプリンタ４２との接続手段としては、ＵＳＢのほか、IEEE1394、有線ＬＡＮ、赤外線通信（IrDA）、Bluetooth（登録商標）等を用いることができる。
【００２１】
通信インターフェース部（通信Ｉ／Ｆ）４４は、ネットワークＮＷとの間で通信を行う。
【００２２】
［画像表示画面の構成］
ＨＤＤ２０等に記録された画像ファイルは、マウス２６やキーボード２８からの操作入力に応じて表示装置２４に一覧表示される。図２は、本発明の第１の実施形態に係る画像表示画面を示す図である。画像表示画面５０は、画像を検索する際のＧＵＩ（Graphical User Interface）として用いられるものである。
【００２３】
図２に示すように、画像表示画面５０は、タイトルバー５２、メニュー表示領域５４、フォルダリスト表示領域５６、ナビゲータ領域５８、ヒストグラム表示領域６０、画像情報表示領域６２、表示操作アイコン表示領域６４、画像表示領域６６及び画像操作アイコン表示領域６８を備えている。フォルダリスト表示領域５６、ナビゲータ領域５８、ヒストグラム表示領域６０及び画像情報表示領域６２には、画面をスクロールするためのスクロールバーが設けられている。なお、図中の符号Ｃ１０は、マウス２６と連動して動作するマウスカーソルである。
【００２４】
タイトルバー５２は、選択中の画像ファイルのファイル名や本発明の画像表示プログラムのアプリケーションの名称等を表示するための表示領域のほか、画像表示画面５０の最小化、最大化及び終了等の操作アイコンを備えている。メニュー表示領域５４には、各種の操作メニューが表示される。
【００２５】
フォルダリスト表示領域５６には、ＨＤＤ２０等のストレージ手段内に格納されたフォルダのリストが表示されており、マウス２６等によりクリックされて選択されたフォルダ（選択フォルダ）の画像が画像表示領域６６に表示される。
【００２６】
図２に示すように、画像表示領域６６には、選択フォルダ内の画像が十字状に配列されて表示され、十字状に配列された画像の交点の位置には中央画像Ｐｃが他の画像と比べて大きく表示される。上記の十字状の画像の配列において、水平方向には画像が撮影日時順に表示され、垂直方向には中央画像Ｐｃと近似した画像情報（メタ情報）を有する画像が、中央画像Ｐｃを中心として撮影日時順に表示される。ここで、画像情報（メタ情報）とは、ファイル名や画像のサイズ、静止画を撮影した時のレンズ焦点距離（Focal Length）、画面内における被写体の位置情報（Subject Location、Subject Area）、被写体の位置（ＧＰＳ）情報、シーンタイプ（Scene Type）、シーン撮影タイプ（Scene Capture Type；例えば、標準、人物、夜景、風景等の被写体の種別）、ホワイトバランス（White Balance）、カメラがオートホワイトバランスで推定した光源の種類（Light Source）、フラッシュ発光の有無、センサ方式等の画像情報等であり、画像ファイルのヘッダ情報（例えば、EXIFタグ情報）から取得される。上記メタ情報に基づいて、画像を配列することにより、例えば、レンズ焦点距離が近似する画像や、被写体が右端に写っている画像、特定の場所で撮影した画像、シーンタイプ、シーン撮影タイプ、ホワイトバランス、光源種又はセンサ方式等の撮影条件が同じ画像、フラッシュ発光して撮影した画像を上下方向に表示させることができる。なお、水平方向及び垂直方向の画像の配列は、ファイル名順や撮影装置の機種別であってもよい。
【００２７】
画像操作アイコン表示領域６８は、中央画像Ｐｃのコマ送り／コマ戻しを行うためのコマ操作キー７０（左キー７０Ｌ、右キー７０Ｒ、上キー７０Ｕ及び下キー７０Ｄ）、及び画像を９０度回転させるための回転キー７２（左回転キー７２Ｌ及び右回転キー７２Ｒ）を備えている。左キー７０Ｌ又は右キー７０Ｒがクリックされると、画像表示領域６６の中央画像Ｐｃが左右方向にコマ送り／コマ戻しされ、画像を撮影日時順に閲覧可能になる。一方、上キー７０Ｕ及び下キー７０Ｄがクリックされると、中央画像Ｐｃが上下方向にコマ送り／コマ戻しされ、中央画像Ｐｃと近似するメタ情報を有する画像が撮影日順又はファイル名順に閲覧可能になる。なお、中央画像Ｐｃのコマ送り／コマ戻しは、画像表示領域６６に表示されている中央画像Ｐｃ以外の画像をクリックすることによっても実行可能である。
【００２８】
ナビゲータ領域５８には、中央画像Ｐｃが表示されるとともに、この画像を拡大縮小するための操作部材が設けられている。ヒストグラム表示領域６０には、中央画像Ｐｃの輝度情報等のヒストグラムが表示される。画像情報表示領域６２には、中央画像Ｐｃの画像情報（メタ情報）が表示される。
【００２９】
表示操作アイコン表示領域６４は、画像表示領域６６における画像の表示形式（例えば、サムネイル表示、１枚ずつ拡大表示等）を選択するための表示操作アイコンを備えている。
【００３０】
［画像再生処理］
次に、画像表示画面５０により画像を再生表示する際のＣＰＵ１２の処理の流れについて、図３のフローチャートを参照して説明する。まず、図３（ａ）に示すように、フォルダリスト表示領域５６においてフォルダが選択されると、選択フォルダ内の画像ファイルが読み込まれる（ステップＳ１０）。
【００３１】
次に、撮影日時順ファイルリストが作成されるとともに（ステップＳ１２）、メタ情報順リストが作成される（ステップＳ１４）。図４に示すように、撮影日時順ファイルリストには、選択フォルダ内の画像ファイルが撮影日時順に配列されて格納されている。また、図５に示すように、メタ情報順リストには、選択フォルダ内の画像ファイルがメタ情報に基づいて分類されて、例えば、焦点距離が所定の範囲の画像ごとに撮影日時順に配列されている。
【００３２】
次に、撮影日時順で１枚目の画像、即ち、最後に撮影された画像が中央画像Ｐｃとして、画像表示領域６６の中心に表示される（ステップＳ１６）。そして、中央画像Ｐｃの水平方向に撮影日時順に画像が表示されるとともに、垂直方向に中央画像Ｐｃに近似したメタ情報を有する画像が表示される。また、ステップＳ１６では、撮影日時順ファイルリストにおいて、中央画像Ｐｃのファイル名にポインタが付される。
【００３３】
次に、コマ操作キー７０の操作に応じた処理の流れについて説明する。図３（ｂ）に示すように、左キー７０Ｌ又は右キー７０Ｒがクリックされると、クリック数に応じて、撮影日時順ファイルリスト上のポインタがインクリメント又はデクリメントされる（ステップＳ２０）。例えば、右キー７０Ｒが１回クリックされた場合には、選択フォルダ内で撮影日時順が中央画像Ｐｃの次に新しい画像にポインタが移動する。なお、中央画像Ｐｃが最も新しい場合には、右キー７０Ｒのクリックに応じて最も古い画像にポインタが移動する。一方、左キー７０Ｌが１回クリックされた場合には、選択フォルダ内で撮影日時順が中央画像Ｐｃの次に古い画像にポインタが移動する。なお、中央画像Ｐｃが最も古い場合には、左キー７０Ｌのクリックに応じて最も新しい画像にポインタが移動する。そして、ポインタが移動した画像が中央画像Ｐｃとなるように、水平方向の画像列が左キー７０Ｌ又は右キー７０Ｒのクリック回数分、左又は右にシフトするとともに、新しく設定された中央画像Ｐｃと近似するメタ情報を有する画像が検索されて、垂直方向に表示される（ステップＳ２２）。
【００３４】
図３（ｃ）に示すように、上キー７０Ｕ又は下キー７０Ｄがクリックされると、まず、メタ情報順リスト上において、現在表示中の中央画像Ｐｃにポインタが設定される（ステップＳ３０）。次に、上下キーのクリック数に応じて、メタ情報順リスト上のポインタがインクリメント又はデクリメントされる（ステップＳ３２）。例えば、上キー７０Ｕが１回クリックされた場合には、メタ情報順リストの配列に従って、選択フォルダ内で中央画像Ｐｃとメタ情報が近似しており、且つ、撮影日時順が中央画像Ｐｃの次に新しい画像にポインタが移動する。一方、左キー７０Ｌが１回クリックされた場合には、中央画像Ｐｃとメタ情報が近似しており、且つ、選択フォルダ内で撮影日時順が中央画像Ｐｃの次に古い画像にポインタが移動する。そして、ポインタが移動した画像が中央画像Ｐｃとなるように、水平方向の画像列が上キー７０Ｕ又は下キー７０Ｄのクリック回数分、上下にシフトするとともに、中央画像Ｐｃの左右に撮影日時順に画像が表示される（ステップＳ３４）。
【００３５】
本実施形態によれば、画像を撮影日時やファイル名順に表示させるとともに、メタ情報が近似した画像を順番に表示させることにより、大量の画像の中から所望の画像を容易に探し出すことができる。
【００３６】
［第２の実施形態］
次に、本発明の第２の実施形態について説明する。なお、画像表示装置１０の構成については、図１と同様であるため説明を省略する。
【００３７】
図６は、本発明の第２の実施形態に係る画像のコマ送り／コマ戻しの順序を模式的に示す図である。図６に示すように、画像表示領域６６には、選択フォルダ内の画像が十字状に配列されて表示され、十字状に配列された画像の交点の位置には中央画像Ｐｃが他の画像と比べて大きく表示される。上記の十字状の画像の配列において、水平方向には画像が撮影日時順に表示され、垂直方向には中央画像Ｐｃとファイル形式が同じ画像が撮影日時順に表示される。
【００３８】
［画像再生処理］
次に、画像表示画面５０により画像を再生表示する際のＣＰＵ１２の処理の流れについて、図７のフローチャートを参照して説明する。まず、図７（ａ）に示すように、フォルダリスト表示領域５６においてフォルダが選択されると、選択フォルダ内の画像ファイルが読み込まれる（ステップＳ５０）。
【００３９】
次に、撮影日時順ファイルリスト（図４参照）が作成されるとともに（ステップＳ５２）、種類別ファイルリストが作成される（ステップＳ５４）。図８に示すように、種類別ファイルリストには、選択フォルダ内の画像ファイルがファイル形式ごとに分類されて撮影日時順に配列されている。
【００４０】
次に、撮影日時順で１枚目の画像、即ち、最後に撮影された画像が中央画像Ｐｃとして、画像表示領域６６の中心に表示される（ステップＳ５６）。そして、中央画像Ｐｃの水平方向に撮影日時順に画像が表示されるとともに、垂直方向に中央画像Ｐｃと同じファイル形式の画像が表示される。また、ステップＳ５６では、撮影日時順ファイルリストにおいて、中央画像Ｐｃのファイル名にポインタが付される。
【００４１】
次に、コマ操作キー７０の操作に応じた処理の流れについて説明する。図７（ｂ）に示すように、左キー７０Ｌ又は右キー７０Ｒがクリックされると、クリック数に応じて、撮影日時順ファイルリスト上のポインタがインクリメント又はデクリメントされる（ステップＳ６０）。例えば、右キー７０Ｒが１回クリックされた場合には、選択フォルダ内で撮影日時順が中央画像Ｐｃの次に新しい画像にポインタが移動する。なお、中央画像Ｐｃが最も新しい場合には、右キー７０Ｒのクリックに応じて最も古い画像にポインタが移動する。一方、左キー７０Ｌが１回クリックされた場合には、選択フォルダ内で撮影日時順が中央画像Ｐｃの次に古い画像にポインタが移動する。なお、中央画像Ｐｃが最も古い場合には、左キー７０Ｌのクリックに応じて最も新しい画像にポインタが移動する。そして、ポインタが移動した画像が中央画像Ｐｃとなるように、水平方向の画像列が左キー７０Ｌ又は右キー７０Ｒのクリック回数分、左又は右にシフトするとともに、新しく設定された中央画像Ｐｃと近似するメタ情報を有する画像が検索されて、垂直方向に表示される（ステップＳ６２）。
【００４２】
図７（ｃ）に示すように、上キー７０Ｕ又は下キー７０Ｄがクリックされると、まず、種類別ファイルリスト上において、現在表示中の中央画像Ｐｃにポインタが設定される（ステップＳ７０）。次に、上下キーのクリック数に応じて、種類別ファイルリスト上のポインタがインクリメント又はデクリメントされる（ステップＳ７２）。例えば、上キー７０Ｕが１回クリックされた場合には、種類別ファイルリストの配列に従って、選択フォルダ内で中央画像Ｐｃとファイル形式が同じで、且つ、撮影日時順が中央画像Ｐｃの次に新しい画像にポインタが移動する。一方、左キー７０Ｌが１回クリックされた場合には、中央画像Ｐｃとファイル形式が同じで、且つ、選択フォルダ内で撮影日時順が中央画像Ｐｃの次に古い画像にポインタが移動する。そして、ポインタが移動した画像が中央画像Ｐｃとなるように、水平方向の画像列が上キー７０Ｕ又は下キー７０Ｄのクリック回数分、上下にシフトするとともに、中央画像Ｐｃの左右に撮影日時順に画像が表示される（ステップＳ７４）。
【００４３】
本実施形態によれば、画像を撮影日時やファイル名順に表示させるとともに、ファイル形式が同じ画像を順番に表示させることにより、大量の画像の中から所望の画像を容易に探し出すことができる。
【００４４】
［第３の実施形態］
次に、本発明の第３の実施形態について説明する。なお、画像表示装置１０の構成については、図１と同様であるため説明を省略する。
【００４５】
図９は、本発明の第３の実施形態に係る画像のコマ送り／コマ戻しの順序を模式的に示す図である。図９に示すように、画像表示領域６６には、選択フォルダ内の画像が十字状に配列されて表示され、十字状に配列された画像の交点の位置には中央画像Ｐｃが他の画像と比べて大きく表示される。上記の十字状の画像の配列において、水平方向には画像が撮影日時順に表示され、垂直方向には中央画像Ｐｃと被写体の人物の人数が同じ画像が撮影日時順に表示される。
【００４６】
［画像再生処理］
次に、画像表示画面５０により画像を再生表示する際のＣＰＵ１２の処理の流れについて、図１０のフローチャートを参照して説明する。まず、図１０（ａ）に示すように、フォルダリスト表示領域５６においてフォルダが選択されると、選択フォルダ内の画像ファイルが読み込まれる（ステップＳ８０）。
【００４７】
次に、撮影日時順ファイルリスト（図４参照）が作成される（ステップＳ８２）。また、選択フォルダ内に人数別ファイルリストが格納されているかどうかが判断される（ステップＳ８４）。選択フォルダ内に人数別ファイルリストが格納されている場合には（ステップＳ８４のＹｅｓ）、ステップＳ８８に進む。一方、選択フォルダ内に人数別ファイルリストが格納されていない場合には（ステップＳ８４のＮｏ）、画像から顔を検出するための顔検出エンジンがＨＤＤ２０内のアプリケーションの格納領域からコールされて、選択フォルダ内の画像ファイルに対して顔検出処理が実行される。そして、図１１に示すように、各画像ファイルから検出された顔の数（＝被写体の人数、図１１のＮＵＭの値）が記録された人数別ファイルリストが作成される（ステップＳ８６）。ここで、顔検出処理の方式としては、例えば、原画像から肌色に指定した色と近い色を持つ画素を取り出し、取り出した領域を顔領域として検出するものがある。この顔検出処理は、例えば、肌色を他の色と区別するための色空間上で、あらかじめサンプリングした肌色の情報から色空間上の肌色の範囲を定め、各画素の色が定めた範囲に入っているか否かを判定することにより行われる。なお、顔検出処理の方式は上記に限定されるものではない。
【００４８】
次に、撮影日時順で１枚目の画像、即ち、最後に撮影された画像が中央画像Ｐｃとして、画像表示領域６６の中心に表示される（ステップＳ８８）。そして、中央画像Ｐｃの水平方向に撮影日時順に画像が表示されるとともに、垂直方向に中央画像Ｐｃと被写体人物の人数が同じ画像が表示される。また、ステップＳ８８では、撮影日時順ファイルリストにおいて、中央画像Ｐｃのファイル名にポインタが付される。
【００４９】
次に、コマ操作キー７０の操作に応じた処理の流れについて説明する。図１０（ｂ）に示すように、左キー７０Ｌ又は右キー７０Ｒがクリックされると、クリック数に応じて撮影日時順ファイルリスト上のポインタがインクリメント又はデクリメントされる（ステップＳ９０）。例えば、右キー７０Ｒが１回クリックされた場合には、選択フォルダ内で撮影日時順が中央画像Ｐｃの次に新しい画像にポインタが移動する。なお、中央画像Ｐｃが最も新しい場合には、右キー７０Ｒのクリックに応じて最も古い画像にポインタが移動する。一方、左キー７０Ｌが１回クリックされた場合には、選択フォルダ内で撮影日時順が中央画像Ｐｃの次に古い画像にポインタが移動する。なお、中央画像Ｐｃが最も古い場合には、左キー７０Ｌのクリックに応じて最も新しい画像にポインタが移動する。そして、ポインタが移動した画像が中央画像Ｐｃとなるように、水平方向の画像列が左キー７０Ｌ又は右キー７０Ｒのクリック回数分、左又は右にシフトするとともに、新しく設定された中央画像Ｐｃと近似するメタ情報を有する画像が検索されて、垂直方向に表示される（ステップＳ９２）。
【００５０】
図１０（ｃ）に示すように、上キー７０Ｕ又は下キー７０Ｄがクリックされると、まず、人数別ファイルリスト上において、現在表示中の中央画像Ｐｃにポインタが設定される（ステップＳ１００）。次に、上下キーのクリック数に応じて、種類別ファイルリスト上のポインタがインクリメント又はデクリメントされる（ステップＳ１０２）。例えば、上キー７０Ｕが１回クリックされた場合には、選択フォルダ内で中央画像Ｐｃと被写体の人数（ＮＵＭの値）が同じで、且つ、撮影日時順が中央画像Ｐｃの次に新しい画像にポインタが移動する。一方、左キー７０Ｌが１回クリックされた場合には、選択フォルダ内で中央画像Ｐｃと被写体の人数（ＮＵＭの値）が同じで、且つ、選択フォルダ内で撮影日時順が中央画像Ｐｃの次に古い画像にポインタが移動する。そして、ポインタが移動した画像が中央画像Ｐｃとなるように、水平方向の画像列が上キー７０Ｕ又は下キー７０Ｄのクリック回数分、上下にシフトするとともに、中央画像Ｐｃの左右に撮影日時順に画像が表示される（ステップＳ１０４）。
【００５１】
本実施形態によれば、画像を撮影日時やファイル名順に表示させるとともに、ファイル形式が同じ画像を順番に表示させることができる。従って、探し出したい画像の撮影日時等の記憶が曖昧であっても、何人で撮ったかとか、又は、風景写真であるといった記憶を基に大量の画像の中から所望の画像を容易に探し出すことができる。
【００５２】
［画像表示装置（撮影装置）の構成］
図１２は、本発明の第４の実施形態に係る画像表示装置を備えた撮影装置の外観を示す斜視図である。図１２に示すように、撮影装置１００は、静止画及び動画の記録及び再生機能を備えた電子カメラである。撮影装置１００のカメラボディ１０２は、扁平状の四角い箱型に形成されている。カメラボディ１０２の前面には、レンズが組み込まれたレンズ鏡筒１０４が設けられている。また、カメラボディ１０２の上面には、シャッタボタン１０６及び電源スイッチ１０８が設けられている。カメラボディ１０２の背面には、表示部（液晶モニタ）１１０、ファインダ接眼窓１１２、モードスイッチ１１４、マクロボタン１１６、ズームボタン１１８、フラッシュモードボタン１２０、ＭＥＮＵ／ＯＫボタン１２２、キャンセルボタン１２４、ディスプレイボタン１２６、ファンクションボタン１２８及び十字ボタン１３０が設けられている。
【００５３】
シャッタボタン１０６は、いわゆる「半押し」と「全押し」とからなる２段ストロークタイプのボタンで構成されており、「半押し」でＡＦ（Auto Focus：自動焦点合わせ）、ＡＥ（Auto Exposure：自動露出）が機能し、「全押し」で撮影が実行される。
【００５４】
電源スイッチ１０８は、撮影装置１００の電源をＯＮ／ＯＦＦするためのスイッチである。
【００５５】
モードスイッチ１１４は、撮影装置１００の動作モードを切り替えるスイッチとして機能する。撮影装置１００の動作モードは、モードスイッチ１１４の設定位置によって、静止画の撮影を行う「静止画撮影モード」、動画の撮影を行う「動画撮影モード」又は撮影した画像を再生する「再生モード」のいずれかに切り替えられる。
【００５６】
液晶モニタ１１０は、再生モード時には画像の再生用モニタとして機能するとともに、静止画又は動画撮影モード時にはフレーミング用のスルー画を表示する電子ビューファインダとして機能する。ディスプレイボタン１２６は、この液晶モニタ１１０のＯＮ／ＯＦＦ切替ボタンとして機能する。また、液晶モニタ１１０は、ユーザインターフェース用表示画面としても利用され、必要に応じてメニュー情報や選択項目、設定内容等の情報が表示される。なお、液晶モニタ１１０に代えて、有機ＥＬ（electro-luminescence）等の他の方式の表示装置を用いることも可能である。
【００５７】
ＭＥＮＵ／ＯＫボタン１２２は、メニュー画面の表示を指示するボタンとして機能し、このＭＥＮＵ／ＯＫボタン１２２が押されることにより、各動作モードからセットアップモードに遷移し、液晶モニタ１１０に設定画面が表示される。上記セットアップモードでは、露出値、色合い、ＩＳＯ感度、記録画素数等の画質調整に関する項目や、セルフタイマーの設定、測光方式の切替、デジタルズームを使用するか否か等の調整項目の設定が行われる。上記セットアップモードにおいて、ＭＥＮＵ／ＯＫボタン１２２は、選択した項目の確定や動作の実行を指示するボタンとして機能し、キャンセルボタン１２４は、設定画面において選択した項目の取消や、設定内容を１つ前の状態に戻すことを指示するボタンとして機能する。十字ボタン１３０は、設定画面において項目を選択するためのカーソルを移動するカーソルシフトキーとして機能する。
【００５８】
また、十字ボタン１３０は、再生モード時に再生する再生画像のコマ送り／コマ戻しを指示するボタンとして機能する。本実施形態の撮影装置１００は、再生画像を左右方向及び上下方向の２方向にコマ送り／コマ戻し可能となっている。即ち、十字ボタン１３０の左側又は上側を押圧することにより、コマ戻し（１コマ前の画像が表示されるように指示）され、十字ボタン１３０の右側又は下側を押圧することにより、コマ送り（１コマ後の画像が表示されるように指示）される。
【００５９】
マクロボタン１１６は、静止画又は動画撮影モード時にマクロ機能（接写機能）のＯＮ／ＯＦＦを切り替えるボタンとして機能し、マクロボタン１１６を押圧操作することにより、マクロ機能がＯＮ又はＯＦＦされる。
【００６０】
ズームボタン１１８は、上下方向に揺動自在なシーソーボタンにより構成されており、静止画又は動画撮影モード時にズーム操作用の操作ボタンとして機能する。即ち、静止画又は動画撮影モードの下、ズームボタン１１８を上方向に操作することにより、ズームがテレ方向に操作され、ズームボタン１１８を下方向に操作することにより、ズームがワイド方向に操作される。
【００６１】
また、ズームボタン１１８は、再生モード時に、再生画像のズームボタンとしても機能する。即ち、再生モードの下、ズームボタン１１８を上方向に操作することにより、再生画像が拡大表示され、下方向に操作することにより、再生画像が縮小表示される。
【００６２】
フラッシュモードボタン１２０は、撮影モード時にフラッシュモードを切り替えるボタンとして機能し、フラッシュモードボタン１２０を押圧操作することにより、フラッシュモードがフラッシュ発光又は発光禁止の各モードに設定される。
【００６３】
図１３は、撮影装置１００の電気的構成を示すブロック図である。撮影装置１００全体の動作は中央処理装置（ＣＰＵ）１５０によって統括制御される。ＣＰＵ１５０は、所定のプログラムに従って本カメラシステムを制御する制御手段として機能するとともに、自動露出（ＡＥ）演算、自動焦点調節（ＡＦ）演算、ホワイトバランス（ＷＢ）調整演算等、各種演算を実施する演算手段として機能する。電源回路１５２は、本カメラシステムの各ブロックに電源を供給する。
【００６４】
ＣＰＵ１５０には、バス１５４を介してＲＯＭ（Read Only Memory）１５６及びＥＥＰＲＯＭ（Electronically Erasable and Programmable Read Only Memory）１５８が接続されている。ＲＯＭ１５６には、ＣＰＵ１５０が実行するプログラム及び制御に必要な各種データ等が格納され、ＥＥＰＲＯＭ１５８には、ＣＣＤ画素欠陥情報、カメラ動作に関する各種定数／情報等が格納されている。
【００６５】
また、メモリ（ＳＤＲＡＭ、Synchronous Dynamic Random Access Memory）１６０は、プログラムの展開領域及びＣＰＵ１５０の演算作業用領域として利用されるとともに、画像データや音声データの一時記憶領域として利用される。ＶＲＡＭ（Video Random Access Memory）１６２は、画像データ専用の一時記憶メモリであり、Ａ領域１６２ＡとＢ領域１６２Ｂを含んでいる。なお、メモリ１６０とＶＲＡＭ１６２は共用することが可能である。
【００６６】
撮影装置１００には、シャッタボタン１０６や電源スイッチ１０８、モードスイッチ１１４、マクロボタン１１６、ズームボタン１１８、フラッシュモードボタン１２０、ＭＥＮＵ／ＯＫボタン１２２、キャンセルボタン１２４、ディスプレイボタン１２６、ファンクションボタン１２８、十字ボタン１３０等の操作部材を含む操作部１６４が設けられている。これら各種の操作部材からなる操作部１６４からの信号はＣＰＵ１５０に入力され、ＣＰＵ１５０は入力信号に基づいて撮影装置１００の各回路を制御し、例えば、レンズ駆動制御、撮影動作制御、画像処理制御、画像データの記録／再生制御、液晶モニタ１１０の表示制御等を行う。
【００６７】
撮影装置１００は、メディアソケット（メディア装着部）１６８を有し、メディアソケット１６８には記録メディア１７０を装着することができる。記録メディア１７０の形態は特に限定されず、ｘＤピクチャカード（登録商標）、スマートメディア（登録商標）に代表される半導体メモリカード、可搬型小型ハードディスク、磁気ディスク、光ディスク、光磁気ディスク等の種々の媒体を用いることができる。メディアコントローラ１７２は、メディアソケット１６８に装着される記録メディア１７０に適した入出力信号の受渡しを行うために所要の信号変換を行う。
【００６８】
また、撮影装置１００は、パーソナルコンピュータ等の外部機器と接続するための通信手段として外部接続インターフェース部（外部接続Ｉ／Ｆ）１７４を備えている。撮影装置１００は、図示せぬＵＳＢケーブル等を用いて撮影装置１００と外部機器を接続することにより、外部機器との間でデータの受渡しが可能となる。もちろん、通信方式はＵＳＢに限らず、IEEE1394やBluetooth（登録商標）等の他の通信方式を適用してもよい。
【００６９】
［撮影モード］
次に、撮影装置１００の撮影機能について説明する。モードスイッチ１１４によって撮影モードが選択されると、カラーＣＣＤ固体撮像素子１７６（以下の説明では、ＣＣＤ１７６と記載する）を含む撮像部に電源が供給され、撮影可能な状態になる。
【００７０】
レンズユニット１７８は、フォーカスレンズ１８０及びズームレンズ１８２を含む撮影レンズ１８４と、絞り兼用メカシャッタ１８６とを含む光学ユニットである。撮影レンズ１８４のフォーカシングは、フォーカスレンズ１８０をフォーカスモータ１８０Ａによって移動させることにより行われ、ズーミングは、ズームレンズ１８２をズームモータ１８２Ａで移動させることにより行われる。フォーカスモータ１８０Ａとズームモータ１８２Ａは、それぞれフォーカスモータドライバ１８０Ｂとズームモータドライバ１８２Ｂにより駆動制御される。ＣＰＵ１５０は、このフォーカスモータドライバ１８０Ｂとズームモータドライバ１８２Ｂに制御信号を出力して制御する。
【００７１】
絞り１８６は、いわゆるターレット型絞りで構成されており、Ｆ２．８からＦ８の絞り孔が穿孔されたターレット板を回転させて絞り値（Ｆ値）を変化させる。この絞り１８６の駆動はアイリスモータ１８６Ａによって行われる。アイリスモータ１８６Ａはアイリスモータドライバ１８６Ｂにより駆動制御される。ＣＰＵ１５０は、このアイリスモータドライバ１８６Ｂに制御信号を出力して制御する。
【００７２】
レンズユニット１７８を通過した光は、ＣＣＤ１７６の受光面に結像される。ＣＣＤ１７６の受光面には多数のフォトダイオード（受光素子）が２次元的に配列されており、各フォトダイオードに対応して赤（Ｒ）、緑（Ｇ）、青（Ｂ）の原色カラーフィルタが所定の配列構造で配置されている。ＣＣＤ１７６は、各フォトダイオードの電荷蓄積時間（シャッタースピード）を制御する電子シャッター機能を有している。ＣＰＵ１５０は、タイミングジェネレータ（ＴＧ）１８８を介してＣＣＤ１７６での電荷蓄積時間を制御する。また、ＣＰＵ１５０は、ＣＣＤ１７６に対して、ＯＦＤ（Overflow Drain）の電位を制御して、ＣＣＤ１７６を構成するフォトダイオードに蓄積される信号電荷の上限値を調整する。
【００７３】
ＣＣＤ１７６の受光面に結像された被写体像は、各フォトダイオードによって入射光量に応じた量の信号電荷に変換される。各フォトダイオードに蓄積された信号電荷は、ＣＰＵ１５０の指令に従いＴＧ１８８から与えられる駆動パルス（読み出しパルス、垂直転送クロック、水平転送クロック）に基づいて信号電荷に応じた電圧信号（画像信号）として順次読み出される。
【００７４】
ＣＣＤ１７６から出力された信号はアナログ処理部（ＣＤＳ／ＡＭＰ）１９０に送られ、ここで画素ごとのＲ、Ｇ、Ｂ信号がサンプリングホールド（相関２重サンプリング処理）され、増幅された後、Ａ／Ｄ変換器１９２に加えられる。Ａ／Ｄ変換器１９２によってデジタル信号に変換された点順次のＲ、Ｇ、Ｂ信号は、画像入力コントローラ１９４を介してメモリ１６０に記憶される。
【００７５】
画像信号処理回路１９６は、メモリ１６０に記憶されたＲ、Ｇ、Ｂ信号をＣＰＵ１５０の指令に従って処理する。即ち、画像信号処理回路１９６は、同時化回路（単板ＣＣＤのカラーフィルタ配列に伴う色信号の空間的なズレを補間して色信号を同時式に変換する処理回路）、ホワイトバランス調整回路、ガンマ補正回路、輪郭補正回路、輝度・色差信号生成回路等を含む画像処理手段として機能し、ＣＰＵ１５０からのコマンドに従ってメモリ１６０を活用しながら所定の信号処理を行う。
【００７６】
画像信号処理回路１９６に入力されたＲＧＢの画像データは、画像信号処理回路１９６において輝度信号（Ｙ信号）及び色差信号（Ｃｒ、Ｃｂ信号）に変換されるとともに、ガンマ補正等の所定の処理が施される。画像信号処理回路１９６で処理された画像データはＶＲＡＭ１６２に格納される。
【００７７】
撮影画像を液晶モニタ１１０にモニタ出力する場合、ＶＲＡＭ１６２から画像データが読み出され、バス１５４を介してビデオエンコーダ１９８に送られる。ビデオエンコーダ１９８は、入力された画像データを表示用の所定方式のビデオ信号（例えば、ＮＴＳＣ方式のカラー複合画像信号）に変換して液晶モニタ１１０に出力する。
【００７８】
ＣＣＤ１７６から出力される画像信号によって、１コマ分の画像を表す画像データがＶＲＡＭ１６２のＡ領域１６２ＡとＢ領域１６２Ｂとで交互に書き換えられる。ＶＲＡＭ１６２のＡ領域１６２Ａ及びＢ領域１６２Ｂのうち、画像データが書き換えられている方の領域以外の領域から、書き込まれている画像データが読み出される。このようにしてＶＲＡＭ１６２内の画像データが定期的に書き換えられ、その画像データから生成される画像信号が液晶モニタ１１０に供給されることにより、撮影中の映像がリアルタイムに液晶モニタ１１０に表示される。撮影者は、液晶モニタ１１０に表示される映像（プレビュー画像）によって撮影画角を確認できる。
【００７９】
シャッタボタン１０６が半押しされ、Ｓ１がオンすると、撮影装置１００はＡＥ及びＡＦ処理を開始する。すなわち、ＣＣＤ１７６から出力された画像信号はＡ／Ｄ変換後に画像入力コントローラ１９４を介してＡＦ検出回路２００並びにＡＥ／ＡＷＢ検出回路２０２に入力される。
【００８０】
ＡＥ／ＡＷＢ検出回路２０２は、１画面を複数の分割エリア（例えば、８×８又は１６×１６）に分割し、この分割エリアごとにＲＧＢ信号を積算する回路を含み、その積算値をＣＰＵ１５０に提供する。ＣＰＵ１５０は、ＡＥ／ＡＷＢ検出回路２０２から得た積算値に基づいて被写体の明るさ（被写体輝度）を検出し、撮影に適した露出値（撮影ＥＶ値）を算出する。ＣＰＵ１５０は、求めた露出値と所定のプログラム線図に従って、絞り値とシャッタースピードを決定し、これに従いＣＣＤ１７６の電子シャッター及びアイリスを制御して適正な露光量を得る。
【００８１】
また、ＡＥ／ＡＷＢ検出回路２０２は、自動ホワイトバランス調整時に、分割エリアごとにＲＧＢ信号の色別の平均積算値を算出し、その算出結果をＣＰＵ１５０に提供する。ＣＰＵ１５０は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇ軸座標の色空間における分布等に基づいて光源種の判別を行い、判別された光源種に応じてホワイトバランス調整回路のＲ、Ｇ、Ｂ信号に対するゲイン値（ホワイトバランスゲイン）を制御し、各色チャンネルの信号に補正をかける。
【００８２】
撮影装置１００におけるＡＦ制御は、例えば、画像信号のＧ信号の高周波成分が極大になるようにフォーカスレンズ１８０を移動させるコントラストＡＦが適用される。すなわち、ＡＦ検出回路２００は、Ｇ信号の高周波成分のみを通過させるハイパスフィルタ、絶対値化処理部、画面内（例えば、画面中央部）にあらかじめ設定されているフォーカス対象エリア内の信号を切り出すＡＦエリア抽出部及びＡＦエリア内の絶対値データを積算する積算部から構成される。
【００８３】
ＡＦ検出回路２００により求められた積算値のデータはＣＰＵ１５０に通知される。ＣＰＵ１５０は、フォーカスモータドライバ１８０Ｂを制御してフォーカスレンズ１８０を移動させながら、複数のＡＦ検出ポイントで焦点評価値（ＡＦ評価値）を演算し、評価値が極大となるレンズ位置を合焦位置として決定する。そして、ＣＰＵ１５０は、求めた合焦位置にフォーカスレンズ１８０を移動させるようにフォーカスモータドライバ１８０Ｂを制御する。なお、ＡＦ評価値の演算はＧ信号を利用する態様に限らず、輝度信号（Ｙ信号）を利用してもよい。
【００８４】
シャッタボタン１０６が半押しされ、Ｓ１オンによってＡＥ／ＡＦ処理が行われ、シャッタボタン１０６が全押しされ、Ｓ２オンによって記録用の撮影動作がスタートする。Ｓ２オンに応動して取得された画像データは画像信号処理回路１９６において輝度／色差信号（Ｙ／Ｃ信号）に変換され、ガンマ補正等の所定の処理が施された後、メモリ１６０に格納される。
【００８５】
メモリ１６０に格納されたＹ／Ｃ信号は、圧縮伸張回路２０４によって所定のフォーマットの画像ファイルに圧縮された後、メディアコントローラ１７２を介して記録メディア１７０に記録される。例えば、静止画についてはＪＰＥＧ（Joint Photographic Experts Group）形式、動画についてはＡＶＩ（Audio Video Interleaving）形式、Motion-JPEGの画像ファイルとして記録される。
【００８６】
画像ファイルを記録メディア１７０に記録する際には、当該画像ファイルの画像情報（メタ情報）がメタ情報テーブルに格納される。このメタ情報テーブルは、記録メディア１７０内の画像ファイルと同じフォルダ内に保存される。ここで、画像情報（メタ情報）とは、ファイル名や画像のサイズ、静止画を撮影した時のレンズ焦点距離（Focal Length）、画面内における被写体の位置情報（Subject Location、Subject Area）、被写体の位置（ＧＰＳ）情報、シーンタイプ（Scene Type）、シーン撮影タイプ（Scene Capture Type；例えば、標準、人物、夜景、風景等の被写体の種別）、ホワイトバランス（White Balance）、カメラがオートホワイトバランスで推定した光源の種類（Light Source）、フラッシュ発光の有無、センサ方式等の画像情報等であり、画像ファイルのヘッダ情報（例えば、EXIFタグ情報）から取得される。
【００８７】
図１４は、メタ情報テーブルを示す図である。図１４に示すように、メタ情報テーブルには、画像のファイル名とメタ情報が関連付けられて格納されている。なお、図１４には、メタ情報の例として、撮影時のフラッシュ発光の有無、レンズ焦点距離、センサ方式及びシーンタイプのみが図示されている。
【００８８】
［再生モード］
モードスイッチ１１４により再生モードが選択されると、記録メディア１７０に記録されている最終の画像ファイル（最後に記録された画像ファイル）の圧縮データが読み出される。最後の記録に係る画像ファイルが静止画ファイルの場合、この読み出された画像圧縮データは、圧縮伸張回路２０４を介して非圧縮のＹＣ信号に伸張され、画像信号処理回路１９６及びビデオエンコーダ１９８を介して表示用の信号に変換された後、液晶モニタ１１０に出力される。これにより、当該画像ファイルの画像内容が液晶モニタ１１０の画面上に表示される。
【００８９】
また、再生モード時に、パーソナルコンピュータやテレビ等の外部ディスプレイがビデオ入出力端子２０６を介して撮影装置１００に接続されている場合には、記録メディア１７０に記録されている画像ファイルはビデオ出力回路２０８により処理されて、この外部ディスプレイに再生表示される。
【００９０】
静止画の１コマ再生中（動画の先頭フレーム再生中も含む）に、十字ボタン１３０を操作することによって、再生対象の画像ファイルを切り換えること（コマ戻し／コマ送り）ができる。コマ送りされた位置の画像ファイルが記録メディア１７０から読み出され、上記と同様にして静止画像や動画が液晶モニタ１１０に再生表示される。
【００９１】
図１５は、画像のコマ送り／コマ戻しの順序を模式的に示す図である。図１５に示すように、液晶モニタ１１０には、画像が１枚ずつ表示され、十字ボタン１３０の左右のボタンを押下することにより、再生対象の画像が撮影日時順にコマ戻し／コマ送りされる。また、十字ボタン１３０の上下ボタンを押下することにより、再生対象の画像とメタ情報が近似する画像が撮影日時順にコマ戻し／コマ送りされる。なお、画像を１枚ずつ表示するのではなく、例えば、表示中の画像の上下左右にコマ送り／コマ戻し先の画像又はその一部を縮小表示するようにしてもよい。
【００９２】
［画像の記録処理］
図１６は、撮影した画像を記録する処理の流れを示すフローチャートである。図１６に示すように、画像が撮影されると、撮影された画像が所定の形式の画像ファイルとして記録メディア１７０に記録され（ステップＳ１１０）、画像ファイルのメタ情報がメタ情報テーブルに記録されて、当該画像ファイルと関連付けられて記録メディア１７０に保存される（ステップＳ１１２）。
【００９３】
［画像の再生時の処理］
次に、画像を再生表示する処理の流れについて、図１７のフローチャートを参照して説明する。まず、図１７（ａ）に示すように、動作モードが再生モードに設定されると、記録メディア１７０から画像ファイルが読み込まれる（ステップＳ１２０）。
【００９４】
次に、記録メディア１７０内の画像ファイルが撮影日時順に配列されて格納された撮影日時順ファイルリストが作成される（ステップＳ１２２）。また、記録メディア１７０からメタ情報テーブルが読み込まれて（ステップＳ１２４）、画像ファイルがメタ情報に基づいて分類されて、例えば、焦点距離が所定の範囲の画像ごとに撮影日時順に配列されたメタ情報順リストが作成される（ステップＳ１２６）。そして、撮影日時順で１枚目の画像が液晶モニタ１１０に表示される（ステップＳ１２８）。また、ステップＳ１２８では、撮影日時順ファイルリストにおいて、再生対象のファイル名にポインタが付される。
【００９５】
次に、コマ操作キー７０の操作に応じた処理の流れについて説明する。図１７（ｂ）に示すように、左キー７０Ｌ又は右キー７０Ｒがクリックされると、クリック数に応じて、撮影日時順ファイルリスト上のポインタがインクリメント又はデクリメントされる（ステップＳ１３０）。例えば、右キー７０Ｒが１回クリックされた場合には、再生対象の画像の次に撮影日時順が新しい画像にポインタが移動する。なお、再生対象の画像が最も新しい場合には、右キー７０Ｒのクリックに応じて最も古い画像にポインタが移動する。一方、左キー７０Ｌが１回クリックされた場合には、再生対象の画像の次に撮影日時順が古い画像にポインタが移動する。なお、再生対象の画像が最も古い場合には、左キー７０Ｌのクリックに応じて最も新しい画像にポインタが移動する。そして、ポインタが移動した画像が液晶モニタ１１０に表示される（ステップＳ１３２）。
【００９６】
図１７（ｃ）に示すように、上キー７０Ｕ又は下キー７０Ｄがクリックされると、まず、メタ情報順リスト上において、再生対象の画像にポインタが設定される（ステップＳ１４０）。次に、上下キーのクリック数に応じて、メタ情報順リスト上のポインタがインクリメント又はデクリメントされる（ステップＳ１４２）。例えば、上キー７０Ｕが１回クリックされた場合には、メタ情報順リストの配列に従って、再生対象画像とメタ情報が近似しており、且つ、撮影日時順が再生対象画像の次に新しい画像にポインタが移動する。一方、左キー７０Ｌが１回クリックされた場合には、再生対象画像とメタ情報が近似しており、且つ、撮影日時順が再生対象画像の次に古い画像にポインタが移動する。そして、ポインタが移動した画像が再生対象画像として液晶モニタ１１０に表示される（ステップＳ１４４）。
【００９７】
本実施形態によれば、画像を撮影日時やファイル名順に表示させるとともに、メタ情報が近似した画像を順番に表示させることにより、大量の画像の中から所望の画像を容易に探し出すことができる。
【００９８】
［第５の実施形態］
次に、本発明の第５の実施形態について説明する。なお、画像表示装置（撮影装置）１００の構成については、図１２及び図１３と同様であるため説明を省略する。
【００９９】
図１８は、画像のコマ送り／コマ戻しの順序を模式的に示す図である。図１８に示すように、液晶モニタ１１０には、画像が１枚ずつ表示され、十字ボタン１３０の左右のボタンを押下することにより、再生対象の画像が撮影日時順にコマ戻し／コマ送りされる。また、十字ボタン１３０の上下ボタンを押下することにより、再生対象の画像と同じファイル形式の画像が撮影日時順にコマ戻し／コマ送りされる。
【０１００】
［画像の再生時の処理］
次に、画像を再生表示する処理の流れについて、図１９のフローチャートを参照して説明する。まず、図１９（ａ）に示すように、動作モードが再生モードに設定されると、記録メディア１７０から画像ファイルが読み込まれる（ステップＳ１５０）。
【０１０１】
次に、記録メディア１７０内の画像ファイルが撮影日時順に配列されて格納された撮影日時順ファイルリストが作成される（ステップＳ１５２）。また、選択フォルダ内の画像ファイルがファイル形式ごとに分類されて撮影日時順に配列された種類別ファイルリストが作成される（ステップＳ１５４）。
【０１０２】
次に、撮影日時順で１枚目の画像、即ち、最後に撮影された画像が液晶モニタ１１０に表示される（ステップＳ１５６）。また、ステップＳ１５６では、撮影日時順ファイルリストにおいて、再生対象画像のファイル名にポインタが付される。
【０１０３】
次に、コマ操作キー７０の操作に応じた処理の流れについて説明する。図１９（ｂ）に示すように、左キー７０Ｌ又は右キー７０Ｒがクリックされると、クリック数に応じて、撮影日時順ファイルリスト上のポインタがインクリメント又はデクリメントされる（ステップＳ１６０）。例えば、右キー７０Ｒが１回クリックされた場合には、再生対象の画像の次に撮影日時順が新しい画像にポインタが移動する。なお、再生対象の画像が最も新しい場合には、右キー７０Ｒのクリックに応じて最も古い画像にポインタが移動する。一方、左キー７０Ｌが１回クリックされた場合には、再生対象の画像の次に撮影日時順が古い画像にポインタが移動する。なお、再生対象の画像が最も古い場合には、左キー７０Ｌのクリックに応じて最も新しい画像にポインタが移動する。そして、ポインタが移動した画像が液晶モニタ１１０に表示される（ステップＳ１６２）。
【０１０４】
図１９（ｃ）に示すように、上キー７０Ｕ又は下キー７０Ｄがクリックされると、まず、種類別ファイルリスト上において、再生対象の画像にポインタが設定される（ステップＳ１７０）。次に、上下キーのクリック数に応じて、種類別ファイルリスト上のポインタがインクリメント又はデクリメントされる（ステップＳ１７２）。例えば、上キー７０Ｕが１回クリックされた場合には、種類別ファイルリストの配列に従って、再生対象画像とファイル形式が同じで、且つ、撮影日時順が再生対象画像の次に新しい画像にポインタが移動する。一方、左キー７０Ｌが１回クリックされた場合には、再生対象画像とファイル形式が同じで、且つ、撮影日時順が再生対象画像の次に古い画像にポインタが移動する。そして、ポインタが移動した画像が再生対象画像として液晶モニタ１１０に表示される（ステップＳ１７４）。
【０１０５】
本実施形態によれば、画像を撮影日時やファイル名順に表示させるとともに、ファイル形式が同じ画像を順番に表示させることにより、大量の画像の中から所望の画像を容易に探し出すことができる。
【０１０６】
［第６の実施形態］
次に、本発明の第６の実施形態について説明する。なお、画像表示装置（撮影装置）１００の構成については、図１２及び図１３と同様であるため説明を省略する。
【０１０７】
図２０は、画像のコマ送り／コマ戻しの順序を模式的に示す図である。図２０に示すように、液晶モニタ１１０には、画像が１枚ずつ表示され、十字ボタン１３０の左右のボタンを押下することにより、再生対象の画像が撮影日時順にコマ戻し／コマ送りされる。また、十字ボタン１３０の上下ボタンを押下することにより、再生対象の画像と写っている被写体の人物の人数が同じ画像が撮影日時順にコマ戻し／コマ送りされる。
【０１０８】
［画像の記録処理］
図２１は、撮影した画像を記録する処理の流れを示すフローチャートである。図２１に示すように、画像が撮影されると、撮影された画像が所定の形式の画像ファイルとして記録メディア１７０に記録されると（ステップＳ１８０）、記録された画像ファイルに顔検出処理が施される（ステップＳ１８２）。そして、図２２に示すように、画像ファイルから検出された被写体の人数情報が人数情報テーブルに記録されて、当該画像ファイルと関連付けられて記録メディア１７０に保存される（ステップＳ１８４）。
【０１０９】
［画像の再生時の処理］
次に、画像を再生表示する処理の流れについて、図２３のフローチャートを参照して説明する。まず、図２３（ａ）に示すように、動作モードが再生モードに設定されると、記録メディア１７０から画像ファイルが読み込まれる（ステップＳ１９０）。
【０１１０】
次に、記録メディア１７０内の画像ファイルが撮影日時順に配列されて格納された撮影日時順ファイルリストが作成される（ステップＳ１９２）。また、選択フォルダ内の画像ファイルが検出された人数ごとに分類されて撮影日時順に配列された人数別ファイルリストが作成される（ステップＳ１９４）。
【０１１１】
次に、撮影日時順で１枚目の画像、即ち、最後に撮影された画像が液晶モニタ１１０に表示される（ステップＳ１９６）。また、ステップＳ１９６では、撮影日時順ファイルリストにおいて、再生対象画像のファイル名にポインタが付される。
【０１１２】
次に、コマ操作キー７０の操作に応じた処理の流れについて説明する。図２３（ｂ）に示すように、左キー７０Ｌ又は右キー７０Ｒがクリックされると、クリック数に応じて、撮影日時順ファイルリスト上のポインタがインクリメント又はデクリメントされる（ステップＳ２００）。例えば、右キー７０Ｒが１回クリックされた場合には、再生対象の画像の次に撮影日時順が新しい画像にポインタが移動する。なお、再生対象の画像が最も新しい場合には、右キー７０Ｒのクリックに応じて最も古い画像にポインタが移動する。一方、左キー７０Ｌが１回クリックされた場合には、再生対象の画像の次に撮影日時順が古い画像にポインタが移動する。なお、再生対象の画像が最も古い場合には、左キー７０Ｌのクリックに応じて最も新しい画像にポインタが移動する。そして、ポインタが移動した画像が液晶モニタ１１０に表示される（ステップＳ２０２）。
【０１１３】
図２３（ｃ）に示すように、上キー７０Ｕ又は下キー７０Ｄがクリックされると、まず、人数別ファイルリスト上において、再生対象の画像にポインタが設定される（ステップＳ２１０）。次に、上下キーのクリック数に応じて、人数別ファイルリスト上のポインタがインクリメント又はデクリメントされる（ステップＳ２１２）。例えば、上キー７０Ｕが１回クリックされた場合には、人数別ファイルリストの配列に従って、再生対象画像と被写体の人数（ＮＵＭの値）が同じで、且つ、撮影日時順が再生対象画像の次に新しい画像にポインタが移動する。一方、左キー７０Ｌが１回クリックされた場合には、再生対象画像と被写体の人数（ＮＵＭの値）が同じで、且つ、撮影日時順が再生対象画像の次に古い画像にポインタが移動する。そして、ポインタが移動した画像が再生対象画像として液晶モニタ１１０に表示される（ステップＳ２１４）。
【０１１４】
本実施形態によれば、画像を撮影日時やファイル名順に表示させるとともに、ファイル形式が同じ画像を順番に表示させることができる。従って、探し出したい画像の撮影日時等の記憶が曖昧であっても、何人で撮ったかとか、又は、風景写真であるといった記憶を基に大量の画像の中から所望の画像を容易に探し出すことができる。
【図面の簡単な説明】
【０１１５】
【図１】本発明の一実施形態に係る画像表示装置を示すブロック図
【図２】本発明の第１の実施形態に係る画像表示画面を示す図
【図３】画像表示画面５０により画像を再生表示する際の処理の流れを示すフローチャート
【図４】撮影日時順ファイルリストを示す図
【図５】メタ情報順リストを示す図
【図６】本発明の第２の実施形態に係る画像のコマ送り／コマ戻しの順序を模式的に示す図
【図７】本発明の第２の実施形態に係る再生表示処理の流れを示すフローチャート
【図８】種類別ファイルリストを示す図
【図９】本発明の第３の実施形態に係る画像のコマ送り／コマ戻しの順序を模式的に示す図
【図１０】本発明の第３の実施形態に係る再生表示処理の流れを示すフローチャート
【図１１】人数別ファイルリストを示す図
【図１２】本発明の第４の実施形態に係る画像表示装置を備えた撮影装置の外観を示す斜視図
【図１３】撮影装置１００の電気的構成を示すブロック図
【図１４】メタ情報テーブルを示す図
【図１５】画像のコマ送り／コマ戻しの順序を模式的に示す図
【図１６】本発明の第４の実施形態において撮影した画像を記録する処理の流れを示すフローチャート
【図１７】本発明の第４の実施形態に係る再生表示処理の流れを示すフローチャート
【図１８】画像のコマ送り／コマ戻しの順序を模式的に示す図
【図１９】本発明の第５の実施形態に係る再生表示処理の流れを示すフローチャート
【図２０】画像のコマ送り／コマ戻しの順序を模式的に示す図
【図２１】本発明の第６の実施形態において撮影した画像を記録する処理の流れを示すフローチャート
【図２２】人数情報テーブルを示す図
【図２３】本発明の第６の実施形態に係る再生表示処理の流れを示すフローチャート
【符号の説明】
【０１１６】
１０…画像表示装置、１２…プロセッサ（ＣＰＵ）、１４…バス、１６…ＲＯＭ、１８…ＲＡＭ、２０…ハードディスク装置（ＨＤＤ）、２２…グラフィック制御回路、２４…表示装置、２６…マウス、２８…キーボード、３０…フレキシブルディスクドライブ（ＦＤＤ）、３２…フレキシブルディスク、３４…メディアインターフェース部（メディアＩ／Ｆ）、３６…記録メディア、３８…ＵＳＢインターフェース部（ＵＳＢ＿Ｉ／Ｆ）、４０…撮像装置、４２…プリンタ、４４…通信インターフェース部（通信Ｉ／Ｆ）、１００…画像表示装置（撮影装置）
【図１】
2008193426.tif 000003
【図２】
2008193426.tif 000004
【図３】
2008193426.tif 000005
【図４】
2008193426.tif 000006
【図５】
2008193426.tif 000007
【図６】
2008193426.tif 000008
【図７】
2008193426.tif 000009
【図８】
2008193426.tif 000010
【図９】
2008193426.tif 000011
【図１０】
2008193426.tif 000012
【図１１】
2008193426.tif 000013
【図１２】
2008193426.tif 000014
【図１３】
2008193426.tif 000015
【図１４】
2008193426.tif 000016
【図１５】
2008193426.tif 000017
【図１６】
2008193426.tif 000018
【図１７】
2008193426.tif 000019
【図１８】
2008193426.tif 000020
【図１９】
2008193426.tif 000021
【図２０】
2008193426.tif 000022
【図２１】
2008193426.tif 000023
【図２２】
2008193426.tif 000024
【図２３】
2008193426.tif 000025